(57)【要約】【課題】幕板の着脱作業が容易に行え、かつ脚体や幕板への加工を最小限に抑えて、コストの低減が図れるようにした、テーブル等の幕板取付構造を提供する。【解決手段】左右の脚体における後部の対向面に、下端に上向係止部１０を有する左右方向を向く配線ダクト５を設け、この配線ダクト５の上向係止部１０に、上下方向を向くブラケット１３の上端に形成された下向係止部１３dを係止するとともに、ブラケット１３の下端部を、脚体２の内面にねじ１８をもって止着し、左右のブラケット１３と幕板６の両側面との対向面の上下部に設けた係止手段１５、２６により、幕板６を左右のブラケット１３に係止させて取付ける。【選択図】  図４
2010178873.tif 000002
【特許請求の範囲】
【請求項１】
テーブル等の天板を支持する左右の脚体の後部下方に、幕板を取付ける取付構造において、
前記左右の脚体における後部の内側面に、下端に上向係止部を有する左右方向を向く幕板吊支部材を設け、この両幕板吊支部材の上向係止部に、上下方向を向くブラケットの上端に形成された下向係止部を係止するとともに、ブラケットの下端部を、脚体の内面に止着し、前記左右のブラケットと幕板の両側面との対向面の上下部に設けた係止手段により、幕板を左右のブラケットに係止させて取付けたことを特徴とするテーブル等の幕板取付構造。
【請求項２】
係止手段を、ブラケットの内側面と幕板の外側面とのいずれか一方に突設した左右方向を向く係止突部と、同じく他方に設けられ、前記係止突部が挿脱可能に係止される、下部が後方に開口する側面視Ｌ字状の係止溝または上部が前方に開口する倒立Ｌ字状の係止溝とからなるものとした請求項１記載のテーブル等の幕板取付構造。
【請求項３】
幕板の外側面における係止手段を設けた部分よりも前方に、外側方に膨出する目隠し突部を、上下方向に沿って設けてなる請求項１または２記載のテーブル等の幕板取付構造。
【請求項４】
幕板吊支部材の上向係止部に、この上向係止部の下端と、幕板の上面との間に形成される隙間を閉塞する左右方向の目隠し板を吊支してなる請求項１〜３のいずれかに記載のテーブル等の幕板取付構造。
【請求項５】
目隠し板の両側部を、左右のブラケットに設けた内向片の前面と、幕板吊支部材の上向係止部の後面とにより挟持してなる請求項４記載のテーブル等の幕板取付構造。
【請求項６】
幕板吊支部材を、左右の脚体における上端部の対向面間に横架された、下端部に上向係止部を有する配線ダクトとしてなる請求項１〜５のいずれかに記載のテーブル等の幕板取付構造。
【請求項７】
天板の下方における前後方向の中間位置に、前後１対の幕板を、互いに離間させて前後対称的に設けてなる請求項１〜６のいずれかに記載のテーブル等の幕板取付構造。
【発明の詳細な説明】
【技術分野】
【０００１】
本発明は、テーブル等の天板の後下方に設けられる幕板の取付構造に関する。
【背景技術】
【０００２】
従来、テーブル等の天板の後下方に幕板を取付けるには、幕板の両側端部の上下複数箇所を、天板の下方における左右の脚体に、ねじにより取付けるのが一般的である(例えば特許文献１〜３参照)。
【先行技術文献】
【特許文献】
【０００３】
【特許文献１】特開２０００−３００３５２号公報
【特許文献２】特開２００５ー１３７７０７号公報
【特許文献３】特許第３６８６０２８号公報
【発明の概要】
【発明が解決しようとする課題】
【０００４】
上記特許文献１〜３に記載されているもののように、幕板をねじにより脚体に取付けると、幕板の着脱作業が面倒であるとともに、幕板や脚体に加工を施したり、ブラケット等の別部材を固定したりする必要があるため、コストが増大する。
また、脚体に加工を施すと、幕板のないテーブルの脚体と共通化することができなくなるだけでなく、幕板を取り付けないときに、脚体の体裁が悪くなるという問題もある。
【０００５】
本発明は、上記問題点に鑑みてなされたもので、幕板の着脱作業を容易に行え、かつ脚体や幕板への加工を最小限に抑えて、コストの低減が図れるようにした、テーブル等の幕板取付構造を提供することを目的としている。
【課題を解決するための手段】
【０００６】
本発明によると、上記課題は、次の各項のようにして解決される。
（１）テーブル等の天板を支持する左右の脚体の後部下方に、幕板を取付ける取付構造において、前記左右の脚体における後部の内側面に、下端に上向係止部を有する左右方向を向く幕板吊支部材を設け、この両幕板吊支部材の上向係止部に、上下方向を向くブラケットの上端に形成された下向係止部を係止するとともに、ブラケットの下端部を、脚体の内面に止着し、前記左右のブラケットと幕板の両側面との対向面の上下部に設けた係止手段により、幕板を左右のブラケットに係止させて取付ける。
【０００７】
このような構成とすると、幕板は、その両側面と、左右のブラケットとの対向面に設けた係止手段により、両ブラケットに取付けられているので、幕板の着脱作業を容易に行うことができる。
また、脚体には、大幅な加工を施す必要がないので、コストの低減が図れ、かつ幕板を取り付けない他のテーブル等の脚体と共通化することができる。
【０００８】
（２）上記(１)項において、係止手段を、ブラケットの内側面と幕板の外側面とのいずれか一方に突設した左右方向を向く係止突部と、同じく他方に設けられ、前記係止突部が挿脱可能に係止される、下部が後方に開口する側面視Ｌ字状の係止溝または上部が前方に開口する倒立Ｌ字状の係止溝とからなるものとする。
【０００９】
このような構成とすると、ブラケット側に係止突部を、幕板側に側面視Ｌ字状の係止溝を設けた際と、これとは反対に、ブラケット側に側面視倒立Ｌ字状の係止溝を、幕板側に係止突部を設けた際とのいずれにおいても、幕板を上方より落とし込んで、係止突部と係止溝とを係合させうるので、左右のブラケットに、幕板を、着脱可能として容易に取り付けることができる。
【００１０】
（３）上記(１)または(２)項において、幕板の外側面における係止手段を設けた部分よりも前方に、外側方に膨出する目隠し突部を、上下方向に沿って設ける。
【００１１】
このような構成とすると、ブラケットや係止突部が前方より露見される恐れが小さくなり、体裁がよくなるとともに、幕板の左右方向のがたつきを抑えることができる。
【００１２】
（４）上記(１)〜(３)項のいずれかにおいて、幕板吊支部材の上向係止部に、この上向係止部の下端と、幕板の上面との間に形成される隙間を閉塞する左右方向の目隠し板を吊支する。
【００１３】
このような構成とすると、幕板の後方において天板の下方に配置された部材や配線等が、目隠し板により隠蔽され、隙間を通して前方から露見されるのが防止されるので、体裁が向上する。
【００１４】
（５）上記(４)項において、目隠し板の両側部を、左右のブラケットに設けた内向片の前面と、幕板吊支部材の上向係止部の後面とにより挟持する。
【００１５】
このような構成とすると、特別な固定手段を用いることなく、目隠し板を安定よく吊支部材に取付けることができる。
【００１６】
（６）上記(１)〜(５)項のいずれかにおいて、幕板吊支部材を、左右の脚体における上端部の対向面間に横架された、下端部に上向係止部を有する配線ダクトとする。
【００１７】
このような構成とすると、左右のブラケット及び幕板は、配線ダクトを利用して取り付けられているので、専用の吊支部材を別途製作したり、脚体に大幅な加工を施したり必要はなく、コスト低減が図れる。
【００１８】
（７）上記(１)〜(６)項のいずれかにおいて、天板の下方における前後方向の中間位置に、前後１対の幕板を、互いに離間させて前後対称的に設ける。
【００１９】
このような構成とすると、前後両側からテーブル等を使用する際に、体裁を良好なものとしうるだけでなく、前後の幕板間の空間を、配線等のスペースとして使用することができる。
【発明の効果】
【００２０】
本発明によれば、幕板は、その両側面と、左右のブラケットとの対向面に設けた係止手段により、両ブラケットに取付けられているので、幕板の着脱作業を容易に行うことができる。
また、脚体には、大幅な加工を施す必要がないので、コストの低減が図れ、かつ幕板を取り付けない他のテーブル等の脚体と共通化することができる。
【図面の簡単な説明】
【００２１】
【図１】本発明の一実施形態を備えるテーブルの斜視図である。
【図２】同じく、左前部側の拡大分解斜視図である。
【図３】同じく、要部の拡大正面図である。
【図４】図４のIV-IV線拡大縦断側面図である。
【図５】同じく、V-V線拡大横断平面図である。
【図６】ブラケットと幕板との係止手段の変形例を示す斜視図である。
【発明を実施するための形態】
【００２２】
以下、本発明の実施形態を、図面に基づいて説明する。
図１は、本発明の一実施形態を備える、前後(以下、図１の斜め手前右側方を前として説明する)両側において使用可能なテーブルの斜視図、図２は、左前部側のの拡大分解斜視図で、このテーブルは、脚体であるパネル状の左右１対の側脚１、１及び側面視Ｔ字状の中間脚２と、それらの上面に、中央部に左右方向の配線空間３が形成されるようにして取付けられた前後左右４枚の天板４と、左右の側脚１、１と中間脚２の上端部の対向面間に、上記配線空間３と連通するようにして横架された、幕板吊支部材としての配線ダクト５、５とを備えている。
【００２３】
前側の左右の天板４、４における後端部の下方と、後側の左右の天板４、４における前端部の下方とには、幕板６が、次のようにして取付けられている。なお、各幕板６の取付構造は、前後対称で同一構造であるため、左側前部の幕板６の取付構造についてのみ説明する。
【００２４】
図３〜図５に示すように、配線ダクト５は、互いの対向面の上端部同士を左右複数のスペーサ部材７(図１、図２参照)により連結された左右方向を向く前後１対のカバー板８、８と、それらの下端部の対向面間に横架された左右複数の配線トレー９とからなっている。前側のカバー板８の下端には、後向片１０aと、その後端より起立する上向片１０b と、この上向片１０b の上端と連続する、後向片１０aよりも短寸の前向片１０cとからなる上向係止部１０が形成されている。なお、後側のカバー板８の下端にも、上記上向係止部１０と前後対称をなす上向係止部１０が形成され、この後側の上向係止部１０は、後部の幕板６を取付ける際に使用される(図４参照)。
【００２５】
配線ダクト５は、前後のカバー板８、８の両側縁に、それぞれ後向きと前向きに折曲形成された側片１１、１１(右方のみ図示する)を、側脚１の上端部の内面と、それに対向する中間脚２における脚柱２a及び支持杆２bの内面とに、複数の止めねじ１２をもって固定することにより、側脚１と中間脚２との上端部間に、前後の天板４、４間の配線空間３と連通するようにして横架されている。
【００２６】
上記前側の上向係止部１０には、上下方向を向く左右１対のブラケット１３、１３と、左右方向を向く目隠し板１４の上端部が、次のようにして係止されている。
左右のブラケット１３、１３は、図２の斜視図から明らかなように、縦長の内向片１３aと、その上端部を除く外側縁に連設された前向側片１３bと、内向片１３aの内側縁に連設された短寸の後向片１３cと、内向片１３aの上縁に前向折曲された、上記配線ダクト５の上向係止部１０に上方より嵌合可能な側面視倒立Ｌ字状断面の下向係止部１３dとを備え、前向側片１３bには、係止突部である上下1対の係止ピン１５、１５が、内向きに突設されている。
【００２７】
目隠し板１４の左右両端部を除く上縁には、上記と同様、配線ダクト５の上向係止部１０に上方より係止可能な側面視倒立Ｌ字状断面の係止片１４aと、それに続く前向片１４bとが形成されている。目隠し板１４の両側の上端部は、配線を挿通するための切欠き１６、１６が形成されている。
【００２８】
図３及び図４に示すように、目隠し板１４は、その上端の係止片１４aを、配線ダクト５におけるカバー板８の係止部１０に上方より嵌合し、かつ前向片１４bの下面を上向係止部１０の後向片１０aの上面に当接させることにより、配線ダクト５の下端部により吊支されて取付けられている。
【００２９】
左右のブラケット１３、１３は、それらの上端の下向係止部１３d、１３dを、それぞれ、目隠し板１４における係止片１４aの両側端部に、上方より嵌合することにより、目隠し板１４の後面と当接するようにして、実質的に配線ダクト５により吊支されている。
両ブラケット１３は、それらの前向側片１３bの下端部に穿設された通孔１７より挿入したねじ１８を、側脚１の下端部の内側面に設けためねじ孔(図示略)と、中間脚２における脚柱２aの下端部の内側面に設けためねじ孔１９(図２参照)とに螺合することにより、それぞれ、側脚１と中間脚２の内側面に当接するようにして固定されている。
また、目隠し板１４は、カバー板８における上向係止部１０の上向片１０b と、ブラケット１３における内向片１３aとにより挟持され、かつ内向片１３aの上端部に形成されためねじ孔２０に、手回し可能な止めねじ２１を後方より螺合し、その先端により後面を押圧することにより、配線ダクト５より脱落するのが防止されている。上述した配線トレー９は、図４に示すように、前後のブラケット１３に跨って横架されている。
【００３０】
図４及び図５に示すように、幕板６の上下左右の周縁には、後向片２２a及びそれに続く内向片２２bと、内向片２２bの内端に連設された前向片２２cとからなる屈折縁２２が形成されている。左右の後向片２２aにおける後記する係止溝２６形成部よりも前側には、外側方に膨出する目隠し突部２３、２３が、上下方向に沿って形成されている。
左右の目隠し突部２３の上下の端部には、ゴム等の緩衝材２４、２４が、外側面より若干突出するようにして止着されている。
【００３１】
左右の屈折縁２２、２２における内向片２２bの上下の端部には、上述した左右のブラケット１３における上下の係止ピン１５が挿入可能な外側方に開口するピン挿入溝２５、２５が、また同じく後向片２２aの上下の端部には、上下の係止ピン１５に挿脱可能に係止可能で、かつ下部が後方に開口する側面視ほぼＬ字状の係止溝２６、２６が、それぞれの下部がピン挿入溝２５と連通するようにして形成されている。下部の係止溝２６の下半部は、係止ピン１５に上方より容易に係止させうるように、斜め前上方に傾斜させてある。
【００３２】
幕板６を取付けるには、まず下部の左右の係止溝２６を、内向片２２bの下部のピン挿入溝２５を介して、左右のブラケット１３の下部の係止ピン１５に、斜め前上方より落とし込んで係合させたのち、上部の左右の係止溝２６を、上部のピン挿入溝２５を介して、上部の左右の係止ピン１５に係止させればよい
【００３３】
幕板６の取付後において、その上面と配線ダクト５の下面との間に形成された隙間の後方は、配線ダクト５より垂下する目隠し板１４により閉塞され、前後の幕板６との間の空間に配線されたケーブル等が隠蔽されるので、体裁がよい。
また、図５に示すように、幕板６の両側面における係止溝２６よりも前側の部分には、外側方に膨出する目隠し突部２３が設けられているので、係止ピン１５やブラケット１３の前向側片１３bが前方より露見される恐れが小さくなる。
さらに、幕板６の両側面の目隠し突部２３における上下の端部に、側脚１及び中間脚２の内側面に当接する緩衝材２４を設けてあるので、幕板６が左右方向にがたついたり、側脚１や中間脚２に直接当接して、それらを傷つけたり、当接音を発生させたりするのが防止される。
【００３４】
以上説明したように、上記実施形態の幕板取付構造によれば、幕板６は、単に左右のブラケット１３の係止ピン１５に挿脱可能に係止するのみで取付けられているので、着脱作業が極めて容易となる。
また、左右のブラケット１３及び幕板６は、配線ダクト５を利用して取り付けられているので、専用の吊支部材を別途製作したり、側脚１や中間脚２に大幅な加工を施したり必要はなく、コスト低減が図れ、かつ幕板を取り付けない他のテーブルの脚体と共通化することができる。
図４に示すように、後側の天板４の下方において、配線ダクト５の後側のカバー板８の下端部にも、幕板６を、前後対称的に設けると、前後両側からテーブルを使用する際において、その体裁を良好なものとしうるだけでなく、前後の幕板６、６の対向面間に形成される空間を、配線スペース等として利用することができる。
【００３５】
本発明は、上記実施形態に限定されるものではない。
上記実施形態では、ブラケット１３に設けた係止ピン１５に、幕板６の側面に設けた係止溝２６を係止させているが、これとは反対に、図６に示すように、幕板６の側面の上下両端部に突設した係止ピン１５(下部のものは図示略)を、ブラケット１３における前向側片１３bの上下の端部に設けた、上部が前方に開口する側面視倒立Ｌ字状の係止溝２６に落とし込んで係止させるようにしてもよい。
【００３６】
本発明は、前方からのみ使用可能な１枚の天板４を有するテーブル等にも適用しうることは、言うまでもない。
【符号の説明】
【００３７】
１    側脚
２    中間脚
２a   脚柱
２b   支持杆
３    配線空間
４    天板
５    配線ダクト(幕板吊支部材)
６    幕板
７    スペーサ部材
８    カバー板
９    配線トレー
１０    上向係止部
１０a   後向片
１０b   上向片
１０c   前向片
１１    側片
１２    止めねじ
１３    ブラケット
１３a   内向片
１３b   前向側片
１３c   後向片
１３d   下向係止部
１４    目隠し板
１４a   係止片
１４b   前向片
１５    係止ピン(係止突部)
１６    切欠き
１７    通孔
１８    ねじ
１９    めねじ孔
２０    めねじ孔
２１    止めねじ
２２    屈折縁
２２a   後向片
２２b   内向片
２２c   前向片
２３    目隠し突部
２４    緩衝材
２５    ピン挿入溝
２６    係止溝
【図１】
2010178873.tif 000003
【図２】
2010178873.tif 000004
【図３】
2010178873.tif 000005
【図４】
2010178873.tif 000006
【図５】
2010178873.tif 000007
【図６】
2010178873.tif 000008